(57)【要約】【課題】本発明は、１つのコイルと、１つのマグネット・コアと、１つのアーマチュアと、１つのヨーク・チューブと、１つの極片と、１つのおよび弁筺とを備える電磁弁に関する。【解決手段】極片とコイル、および（または）極片と弁筺のシーリングおよび接続が、１つのクランプ式のカッティング・エッジによる接続によって達成される。【選択図】図２
2005249201.tif 000002
【特許請求の範囲】
【請求項１】
１つのコイル（１）と、１つのマグネット・コア（２）と、１つのアーマチュア（３）と、１つのヨーク・チューブ（４）と、１つの極片（５）と、１つのおよび弁筺（６）とを備える電磁弁であって、
前記極片と前記コイルとの、および（または）前記極片と前記弁筺とのシーリングおよび接続が、１つのクランプ式のカッティング・エッジによる接続によって達成される事を特徴とする、電磁弁。
【請求項２】
前記極片（５）が、少なくとも１つのカッティング・エッジ（５ｂ、５ｃ）を備え、前記極片が前記コイル（１）に、および（または）前記弁筺（６）に接続される際にコイル／弁筺の１つの歪みを引き起こす事を特徴とする、請求項１に記載の電磁弁。
【請求項３】
前記極片（５）が、少なくとも１つの突出部（５ｂ、５ｃ）から形成される少なくとも１つのカッティング・エッジを備え、前記極片が前記コイルに、および（または）前記弁筺に接続される際にコイル／弁筺の１つの歪みを引き起こす事を特徴とする、請求項１に記載の電磁弁。
【請求項４】
前記極片（５）が前記アーマチュア（３）を案内する１つのチューブ部分（５ａ）を備える事を特徴とする、請求項１に記載の電磁弁。
【請求項５】
前記コイルが１つのコイル・ボデイ（１ｂ）を備え、前記極片（５）が１つのチューブ部分（５ａ）を備え、前記チューブ部分が前記コイル・ボデイへ導入され、前記アーマチュア（３）を案内するために使用される事を特徴とする、請求項１に記載の電磁弁。
【請求項６】
前記コイル（１）が１つのコイル・ボデイ（１ａ）を備え、前記極片（５）が１つのチューブ部分（５ａ）を備え、前記チューブ部分が前記コイル・ボデイへ導入され、前記アーマチュア（３）を案内するために使用され、前記コイルと前記チューブ部分との間に前記クランプ式のカッティング・エッジによる接続が供される事を特徴とする、請求項１に記載の電磁弁。
【請求項７】
前記マグネット・コア（２）と前記アーマチュア（３）との間に、前記極片と前記弁筺との間の前記クランプ式のカッティング・エッジによる接続によって調節され得る１つのエアギャップ（１２）が提供される事を特長とする、請求項１に記載の電磁弁。
【請求項８】
前記マグネット・コア（２）と前記コイル（１）とのシーリングと接続もまた、１つのクランプ式のカッティング・エッジによる接続によって達成される事を特徴とする、請求項１に記載の電磁弁。
【請求項９】
前記マグネット・コア（２）と前記ヨーク・チューブ（４）が一体に構築される、請求項１に記載の電磁弁。
【請求項１０】
前記極片（５）と前記ヨーク・チューブ（４）が一体に構築される、請求項１に記載の電磁弁。
【発明の詳細な説明】
【技術分野】
【０００１】
本発明は、１つのコイル、１つのマグネット・コア、１つのアーマチュア、１つのヨーク・チューブ、１つの極片、および１つの弁筺を備える１つの電磁弁に関する。
【背景技術】
【０００２】
電磁弁が組み立てられる場合、極片とコイルとの間、および（または）極片と弁筺と間のシーリングおよび接続は、接続される２つの構成要素のうちの１つにおける１つの周辺溝に予め前もって挿入された１つのＯリングを使用して通常は達成される。
【発明の開示】
【発明が解決しようとする課題】
【０００３】
本発明の目的は、極片とコイルとの間、および（または）極片と弁筺との間のシーリングおよび接続を容易かつ低費用で達成し得る１つの電磁弁を提供することである。
【課題を解決するための手段】
【０００４】
本発明によれば、この目的は請求項１の複数の特徴によって達成される。
【０００５】
本発明における電磁弁は、１つのコイルと、１つのマグネット・コアと、１つのアーマチュアと、１つのヨーク・チューブと、１つの極片と、１つのおよび弁筺とを備える。本発明は、極片とコイルとの、および（または）極片と弁筺とのシーリングおよび接続が、１つのクランプ式のカッティング・エッジによる接続によって達成される事によって特徴付けられる。
【０００６】
発明のさらなる形式は、複数の従属請求項の主題である。
【０００７】
１つの好適な実施形態において、極片が、少なくとも１つのカッティング・エッジを備え、極片がコイルに、および（または）弁筺に接続される際にコイル／弁筺の１つの歪みを引き起こす。例えば、カッティング・エッジは極片上の１つの突出部によって形成されて良く、該突起によって、極片がコイルに、および（または）弁筺に接続される際にコイル／弁筺の１つの歪みを引き起こす。
【０００８】
一実施形態において、コイルは１つのコイル・ボデイを備え、極片は１つのチューブ部分を備え、チューブ部分がコイル・ボデイへ導入され、アーマチュアを案内するために使用され、コイルとチューブ部分との間にクランプ式のカッティング・エッジによる接続が供される。本発明における接続において、マグネット・コアとアーマチュアとの間に供される１つのエアギャップは、極片と弁筺との間のクランプ式のカッティング・エッジによる接続によって調節され得る。
【０００９】
コイルへ導入される１つのポール・チューブの使用によって、コイルの安定性を増加させる事が出来、従ってその壁面をより薄く構築する事が出来る。好都合にも、ポール・チューブがコイルへ導入されるまではコイルは巻かれない。更に、ポール・チューブによって、磁界ラインのアーマチュアへの中間ばめが容易になる。
【００１０】
更なる複数の効果および本発明の複数の様式が、記載および図面に関して以下更に詳細に説明される。
【発明を実施するための最良の形態】
【００１１】
複数の図において示される電磁弁は、１つのコイル１、１つのマグネット・コア２、１つのアーマチュア３、１つのヨーク・チューブ４、１つの極片５、および１つの弁筺６を基本的に備える。コイル１は、１つのコイル・ボデイ１ａおよび１つの巻線１ｂによって従来の様態で構成される。巻線ワイヤの両端は、２本の接続ピン７、８によって外側へ案内される。
【００１２】
生産段階において、マグネット・コア２およびヨーク・チューブ４、あるいは極片５およびヨーク・チューブ４は、１つの部品として構築され得る。
【００１３】
極片５は、コイル・ボデイ１ａへ導入されてアーマチュア３を案内するために使用される１つのチューブ部分５ａを備える。極片５は、弁筺６に対する１つの界面としても使用される。極片は磁気回路の一部であり、アーマチュアへのフィールド・ラインの中間ばめを容易にする。
【００１４】
それ自体が公知の１つのバルブシート９、およびそれと協動する１つのシーリング部材１０が弁筺６の中に提供される。コイル１に電流が流れていない状態である場合、シーリング部材１０は、１つのスプリング１１によってバルブシート９上にアーマチュア３によって圧される。コイル１が励起される場合、シーリング部材がバルブシート９から持ち上げられるように、アーマチュア３がマグネット・コア２によって引きつけられる。
【００１５】
極片５のチューブ部分５ａとコイルとの間のクランプ式のカッティング・エッジによる接続は、ここに図２に関してより詳細に以下説明される。チューブ部分５ａは、断面がノーズ状である１つのカッティング・エッジを形成する突出部５ｂを備える。カッティング・エッジが周縁部全体に渡って延長している事によって、チューブ部分５ａがコイルへ導入される場合に、コイル・ボデイ１ａが１つの歪みを生じる。カッティング・エッジは、導入は簡単であるが引出が妨げられるような１つの形式のものとされる。この種の接続において、チューブ部分が金属を含み、コイルのコイル・ボデイ１ａが塑性物質を含む場合、特に有利である。
【００１６】
１つの同様の接続が、図４におけるマグネット・コア２とコイル・ボデイ１ａとの間に提供される。しかしながら、ここでは、コア２上におけるノーズ状の断面形状を有する突出部２ａは、コアがコイルへ上方から導入されるように、１８０°回転して配置される。
【００１７】
極片５と弁筺６の接続は、１つのクランプ式のカッティング・エッジによる接続で同様に達成される。図３は、この接続の１つの拡大図を示す。この実施形態において、カッティング・エッジは、略フック形状の断面を有する突出部５ｃによって形成される。弁筺６が極片５側にどれくらい遠方に押し付けられるかに依存して、アーマチュア３とコア２との間のエアギャップ１２は１つの制御された様態で調節され得る。
【００１８】
クランプ式のカッティング・エッジによる接続は、一方では２つの構成要素を相互に固定し、確実にシーリングされるようにする。更なる密封手段（例えば複数のＯリング）これと共に供されて良い。
【００１９】
シーリング、および極片とコイルの接続、および（または）ならびに極片と弁筺の接続、および（または）マグネット・コアとコイルの接続が、このように容易かつ低費用で製造される。
【図面の簡単な説明】
【００２０】
【図１】電磁弁の１つの概略断面図である。
【図２】極片とコイルとの接続に関する１つの詳細図（図１における詳細ＩＩ）である。
【図３】極片と弁筺との接続に関する１つの詳細図（図１における詳細ＩＩＩ）である。
【図４】アーマチュアとコイルとの接続に関する１つの詳細図（図１における詳細Ｉ）である。
【図１】
2005249201.tif 000003
【図２】
2005249201.tif 000004
【図３】
2005249201.tif 000005
【図４】
2005249201.tif 000006